(57)【要約】      （修正有）【課題】消費電力を抑えられ、さらに、光を視認しても目にダメージを与えないでデータ通信の到達範囲を認識できるため、通信のセキュリティの確信を認識することができる可視光通信装置を提供する。【解決手段】複数の発光素子１１０を直列に接続した発光部と、複数の発光部を並列接続して照明光を発光する照明部と、一つ以上の端末装置６００と可視光通信により接続される光通信部３００と、該発光部と光通信部３００とに電力を供給する電源４００とを有し、光通信部３００は、任意の発光部または各発光部に接続されている。【選択図】図２
2014107655.tif 000002
【特許請求の範囲】
【請求項１】
複数の発光素子を直列に接続した発光部と、複数の発光部を並列接続して照明光を発光する照明部と、一つ以上の端末装置と可視光通信により接続される光通信部と、該発光部と光通信部とに電力を供給する電源とを有し、
前記通信部は、任意の前記発光部または各前記発光部に接続されていることを特徴とする可視光通信装置。
【請求項２】
前記通信部は、前記発光部に直列に接続されていることを特徴とする請求項１記載の可視光通信装置。
【請求項３】
前記通信部は、前記発光部に直列に接続されていることを特徴とする請求項１または２記載の可視光通信装置。
【請求項４】
前記照明部および前記光通信部は、整流回路を介して電源に接続されていることを特徴とする請求項１または請求項３のいずれか１項に記載の可視光通信装置。
【請求項５】
前記通信部は、前記端末装置に設けられた端末発信部からの発信される光信号を受信する受信部と、前記端末装置に設けられた端末受信部が受信する光信号を発信する発信部とを備えたことを特徴とする請求項１、請求項２、請求項３または請求項４のいずれか１つに記載の可視光通信装置。
【発明の詳細な説明】
【技術分野】
【０００１】
本発明は、可視光通信装置に関する。
【背景技術】
【０００２】
光を用いて自由空間に情報を伝送する光通信システムが提唱され、例えば、特許文献１のようなものがある。特許文献１の構成は、天井などに設けられた照明手段の蛍光灯の中に赤外線発光素子を組み込んで変調された赤外線信号を発信することにより、光空間伝送装置の発光部として理想的な天井に発信部を設けて伝送することができる。
【０００３】
【特許文献１】特開平６−３７７２０公報
【発明の開示】
【発明が解決しようとする課題】
【０００４】
このような光空間伝送装置は、赤外線を用いるものが多く、肉眼ではよく認識できないため、伝送がうまく成立しないことが多かった。また、可視光でないため強力な光が出ているにも関わらず、目に見えないため、目にダメージを与える危険も含まれていた。
【課題を解決するための手段】
【０００５】
上記の問題を解決するために、本発明は、請求項１では、複数の発光素子を直列に接続した発光部と、複数の発光部を並列接続して照明光を発光する照明部と、一つ以上の端末装置と可視光通信により接続される光通信部と、該発光部と光通信部とに電力を供給する電源とを有し、光通信部は、任意の発光部または各発光部に接続されていることを特徴とする。
【０００６】
また、請求項２では、光通信部は発光部に直列に接続されていることを特徴とし、請求項３では、光通信部は発光部に直列に接続されていることを特徴とする。さらに、請求項４では、照明部および光通信部は整流回路を介して電源に接続されていることを特徴とする。
【０００７】
さらに、請求項５では、光通信部は、端末装置に設けられた端末通信部からの発信される光信号を受信する受信部と、端末装置に設けられた端末受信部が受信する光信号を発信する発信部とを備えたことを特徴とする。
【発明の効果】
【０００８】
本発明は、上記構成により、光源を可視光を適用することにより、目にダメージを受けることなく肉眼で認識することができる。また、可視光は赤外線よりも消費電力を抑えることができる。
【図面の簡単な説明】
【０００９】
【図１】本発明の可視光通信装置の概略図。
【図２】本発明の他の可視光通信装置の概略図。
【発明を実施するための最良の形態】
【００１０】
以下、本発明の実施の形態を図面に基づいて説明する。図１に、本発明の可視光通信装置の概略図を示す。図１に示すように、発光部１００と、照明部２００と、光通信部３００と、電源４００とからなる。
【００１１】
発光部１００は、複数の発光素子１１０を直列に接続したものであり、具体的に、発光素子１１０はＬＥＤ素子である。照明部２００は、室内を照らす照明光の光源となるものであり、複数の発光部１００を並列接続したものである。なお、実施例において、発光部１００は３つしか図示されていないが、これに限定されることはなく、４つ以上配置してもよい。
【００１２】
光通信部３００は、一つ以上の端末装置６００と可視光通信により接続されるものであり、端末装置６００に設けられた端末発信部６２０からの発信される光信号を受信する受信部３１０と、端末装置６００に設けられた端末受信部６１０が受信する光信号を発信する発信部３２０とからなる。
【００１３】
受信部３１０は、具体的に、フォトトランジスタであり、発信部３２０は、光信号を発信するＬＥＤ発光素子からなる。発信部３２０は、発振部３３０に接続されている。発振部３３０は、端末装置６００の端末受信部６１０に発信する光信号を、ＬＥＤ発光素子の点灯時間領域幅より小さい点灯デューティで点灯させる変調信号を生成するものである。
【００１４】
端末装置６００は、室内で通信可能な装置であり、例えば、ノートパソコン、ディスクトップパソコン、タブレットＰＣ、携帯電話等の情報装置である。
【００１５】
端末装置６００は、各光通信部３００に双方向通信が可能なように端末受信部６１０と端末発信部６２０とを備える。さらに、端末発信部６２０は、先に述べた発信部３２０と同様に、光信号を発信するＬＥＤ発光素子からなり、端末発振部６３０に接続されている。
【００１６】
端末発振部６３０は、受信部３１０に発信する光信号を、ＬＥＤ発光素子の点灯時間領域幅より小さい点灯デューティで点灯させる変調信号を生成するものである。
【００１７】
この構成のもと、発信部３２０から端末受信部６１０で受信された光信号はデータ処理されＳ１、端末装置内で所望の内部処理Ｓ２が行われる。内部処理されたデータを受信部３１０に送る場合Ｓ４には、端末発振部６３０により、端末装置内にある内部処理されたデータは光信号に変換されて、その信号は受信部３１０に受信される。
【００１８】
受信部３１０で、受信された光信号は、一旦、データ処理される。この後、処理されたデータは、発振部３３０により光信号に変換して、発信部３２０を介して、この変換した光信号を室内にある任意の端末装置６００に送信する。このように、通信部３００と端末装置６００との間で、双方向通信が可能となる。
【００１９】
電源４００は、発光部１００と光通信部３００に電力を供給するものであり、照明部２００および光通信部３００は清流回路５００を介して電源４００に接続されている。光通信部３００は、照明部２００内に組み込まれ、光通信部３００の発信部３２０であるＬＥＤ発光素子が照明部２００の一部となり、さらに、光通信部３００の電力供給を照明部２００の電源４００と共通化される。
【００２０】
これにより、照明部２００の電源４００と、光通信部３００の電源４００を別個に設ける必要が無くなる。また、図１において、通信部は、照明部２００に直列に接続されているが、これに限定されることは無く、例えば、図２に示すように、照明部２００に対し並列に接続しても良い。
【００２１】
この接続により、ある特定の照明部２００の発光部１００の一つが壊れたとしても、その照明部２００に接続された光通信部３００には電力が供給され、通常に、光通信部３００と端末装置６００との光送受信を行うことができる。また、図１、２に示すように、光通信部３００は、各照明部２００に接続されているが、これに限定されることはなく、図１では、光通信部３００を任意の発光部１００に接続したり、図２では、光通信部３００を任意の照明部２００に接続したりしても良い。
【符号の説明】
【００２２】
１００  発光部
１１０  発光素子
２００  照明部
３００  光通信部
３１０  受信部
３２０  発信部
４００  電源
５００  整流回路
【図１】
2014107655.tif 000003
【図２】
2014107655.tif 000004